(57)【特許請求の範囲】
【請求項１】
屈曲振動する圧電セラミック振動子と、該圧電セラミック振動子を屈曲振動の節点線上で支持する支持具と、前記圧電セラミック振動子の信号入出力用リード線を接続する金属端子棒を備え、かつ前記支持具を挿入する貫通孔を有する支持枠部を設けたホルダーと、前記圧電セラミック振動子を駆動する回路基板とからなり、前記金属端子棒を、前記回路基板に接触しないように貫通させ、前記金属端子棒と前記回路基板をフレキシブル基板を介して接続したことを特徴とする圧電振動ジャイロ。
【発明の詳細な説明】
【０００１】
【発明の属する技術分野】
本発明は、カメラ一体型ＶＴＲの手振れ防止や自動車のナビゲーションシステム等に用いられるジャイロスコープの内、圧電セラミック振動子（以下、振動子と称する）の超音波振動を用いた、いわゆる圧電振動ジャイロに関し、特に、その構造に関する。
【０００２】
【従来の技術】
圧電振動ジャイロは、振動している物体に回転角速度が与えられると、その振動方向と垂直な方向にコリオリ力を生ずるという力学現象を利用したジャイロスコープである。互いに直交する２つの方向の励振と検出が可能であるように構成した振動系において、一方の振動を励振した状態で、振動子自身を２つの振動面が交わる線と平行な軸を中心軸として回転させると、前述のコリオリ力の作用により、この振動と直角な方向に力が働き、他方の振動が励振される。この振動の大きさは、入力側の振動の大きさ及び回転角速度に比例するため、入力電圧が一定の場合、出力電圧の大きさから回転角速度の大きさを求めることができる。
【０００３】
図２に、従来の圧電振動ジャイロに用いられる円柱状の振動子の概略構造を示す。また、図３に、振動子を支持するために用いられる支持具を示す。また、図４に、従来の圧電振動ジャイロにおける圧電セラミックス振動子のホルダーへの組立前後の状態を示し、図４（ａ）に組立前、図４（ｂ）に組立後の状態を示す。
【０００４】
図２に示すように、振動子１には、長手方向に対して両端から２２.４％の位置にある屈曲振動の節点を結ぶ線（以下、節点線と称する）４上で、かつ各帯状電極の幅方向の中央部に、信号入出力用リード線３が固定されている。この振動子１は、帯状電極２を用いて分極処理が施される。
【０００５】
また、図３に示すように、支持具５は、絶縁性のゴム状弾性材料からなり、断面が三角形である環状体で、中央に振動子の外径と同じ径の貫通孔６を有する。
【０００６】
また、図４（ａ）に示すように、ホルダー７は、樹脂製で、端部に、振動子１の長軸方向に対して直交し、節点線と同一線上になるように支持枠部１７ａが設けられ、この支持枠部１７ａの外側に、外枠部１７ｂが設けられている。この支持枠部１７ａには、リード線３が接続される金属端子棒８及び支持具５の外径と同じ径を有する貫通孔が設けられている。また、外枠部１７ｂには、振動子１の外径よりやや大きい貫通孔１８が設けられている。
【０００７】
また、圧電振動ジャイロは、次のように組み立てられる。図４（ａ）に示すように、支持具５をホルダー７の貫通孔にはめ込み接着する。この支持具５の貫通孔６に振動子１を挿入し、支持具５の縁部で振動子１の節点線４を支持し、この支持具５と振動子１の接する部分にシリコーンゴムを主成分とする接着剤を注入し接着する。
【０００８】
次に、図４（ｂ）に示すように、駆動あるいは検出用の帯状電極に接続されたリード線３を金属端子棒８に半田付けする。更に、金属端子棒８を、振動子１を駆動し、かつ、振動子１からの電気信号を処理するための回路基板１１に、半田により電気的かつ機械的に接続する。なお、回路基板１１には、電気信号を入出力するための金属端子棒１４が半田により固定され、電気的かつ機械的に接続されている。これにより圧電振動ジャイロとして電気信号が入出力される。
【０００９】
ところで、接着剤には、高温にて固形化するものを用いている。そのため、常温から高温に温度を上げていくと、接着剤は、常温時と比較して粘度が一旦低下し、更に、高温状態に放置することにより固形化する。したがって、接着剤にて接着する際、常温時では、接着面及び接着面付近のわずかな隙間には入り込まないが、高温時には、毛細管現象により接着面の全体に流れ込み接着強度が向上する。
【００１０】
しかし、図４に示すように、振動子１と支持具５の接着部の付近には、リード線３が駆動あるいは検出用の帯状電極に電気的に接続されているため、接着剤がリード線３と振動子１の接合部に付着することにより、リード線３を通じて振動の漏れが生じる。
【００１１】
このような問題を極力避けるため、支持具５と振動子１との接着部を節点線４上よりわずかにずらす必要がある。その結果、振動子１の機械的品質係数Ｑｍの低下を招き感度が低下する。また、節点線４上よりわずかにずれて支持されているため、支持具５を介して振動の漏れが生じ、振動子１を含めたホルダー７全体が振動し、また、回路基板１１とホルダー７が接続されているために、支持具５を介して外乱が振動子１の屈曲振動に影響を及ぼし、特に、圧電振動ジャイロの静止時出力の特性が劣化するという欠点があった。
【００１２】
【発明が解決しようとする課題】
本発明の課題は、上記の欠点を除去し、静止時出力の安定した圧電振動ジャイロを提供することにある。
【００１３】
【課題を解決するための手段】
本発明は、屈曲振動する圧電セラミック振動子と、該圧電セラミック振動子を屈曲振動の節点線上で支持する支持具と、前記圧電セラミック振動子の信号入出力用リード線を接続する金属端子棒を備え、かつ前記支持具を挿入する貫通孔を有する支持枠部を設けたホルダーと、前記圧電セラミック振動子を駆動すると回路基板からなり、前記金属端子棒を、前記回路基板に接触しないように貫通させ、前記金属端子棒と前記回路基板をフレキシブル基板を介して接続したことを特徴とする圧電振動ジャイロである。
【００１４】
本発明の圧電振動ジャイロでは、振動子を含むホルダーは、軟弾性体からなるダンパーにより軟設置され、また、ホルダーに設置されている金属端子棒と回路基板はフレキシブル基板により接続されることにより、外乱が変化しても振動子の屈曲振動に対する影響が少ない。
【００１５】
また、ケースに組み込む際、振動子とホルダーにより構成される振動子ユニットの上部に回路基板、更に回路基板の上部にフレキシブル基板が配置され、ケース開放部から順番に一方向から部品を入れることが可能となり、量産及び自動化に適した構造となる。
【００１６】
【発明の実施の形態】
以下、本発明の実施の形態を図面を用いて説明する。
【００１７】
図１は、本発明の圧電振動ジャイロの部分拡大断面図である。図２は、本発明の圧電振動ジャイロに用いられる振動子の概略の構造を示す斜視図である。図３は、本発明の圧電振動ジャイロに用いられる支持具の構造を示す斜視図である。図４（ａ）は、本発明の圧電振動ジャイロにおける振動子のホルダーへの組立前の状態を示す斜視図である。なお、図１では、振動子の支持の状態を詳細に説明するために振動子の軸方向の断面を示している。
【００１８】
図２に示すように、本発明の圧電振動ジャイロに用いられる振動子１は、円柱状で、リード線３が節点線４上に半田付けされている。
【００１９】
また、図３に示すように、本発明の圧電振動ジャイロに用いられる支持具５は、絶縁性のゴム状弾性材料からなり、断面が三角形である環状体で、中央に振動子の外径と同じ径の貫通孔６を有する。
【００２０】
図４（ａ）に示すように、本発明の圧電振動ジャイロに用いられるホルダー７は、樹脂製で、端部に、振動子１の長軸方向に対して直交し、節点線と同一線上になるように支持枠部１７ａが設けられ、この支持枠部１７ａの外側に、外枠部１７ｂが設けられている。この支持枠部１７ａには、リード線３が接続される金属端子棒８及び支持具５の外径と同じ径を有する貫通孔が設けられている。また、外枠部１７ｂには、振動子１の外径よりやや大きい貫通孔１８が設けられている。
【００２１】
このような部品からなる圧電振動ジャイロは、次のように組み立てられる。図４（ａ）に示すように、まず、支持具５をホルダー７の貫通孔にはめ込み接着する。次に、ホルダー７に、振動子１を、支持具５の貫通孔６に挿入し、内縁で支持する。更に、振動子１と支持具５が接する部分に、シリコーンゴムを主成分とする熱硬化型の接着剤９を注入し、図１に示すように、支持具５を介して振動子１をホルダー７に仮接着する。次に、ホルダー７を高温雰囲気内に放置する。これにより、常温ではゲル状であった接着剤９は、粘度が下がり液化し細部に行き渡り、振動子１と支持具５は、節点線上で接着される。
【００２２】
更に、金属端子棒８に、リード線３を半田にて接続して、振動子ユニットが形成される。次いで、この振動子ユニットと回路基板１１を、軟弾性体からなるダンパー１２を介してケース１０内に固定する。また、金属端子棒８を、回路基板１１と接触せずに貫通させ、ケース１０の開放面でフレキシブル基板１３と接続させる。
【００２３】
以上のようにして得られた本発明の圧電振動ジャイロと従来の圧電振動ジャイロの各５個について、静止時出力特性を比較した。図５に、本発明による圧電振動ジャイロの静止時出力特性を、図６に、従来の圧電振動ジャイロの静止時出力特性を示した。図５及び図６に示すように、本発明の圧電振動ジャイロの方が、従来の圧電振動ジャイロよりも静止時出力のばらつきが小さく、更に、温度による静止時出力の変化が小さいことがわかる。
【００２４】
【発明の効果】
以上示したように、本発明によれば、静止時出力の安定した圧電振動ジャイロを提供することができた。
【図面の簡単な説明】
【図１】本発明の圧電振動ジャイロの部分拡大断面図。
【図２】圧電振動ジャイロに用いられる圧電セラミックス振動子の概略の構造を示す斜視図。
【図３】圧電振動ジャイロに用いられる支持具の構造を示す斜視図。
【図４】従来の圧電振動ジャイロにおける圧電セラミックス振動子のホルダーへの組立前後の状態を示す斜視図。図４（ａ）は組立前の斜視図。図４（ｂ）は組立後の斜視図。
【図５】本発明による圧電振動ジャイロの静止時出力特性を示す図。
【図６】従来の圧電振動ジャイロの静止時出力特性を示す図。
【符号の説明】
１    （圧電セラミックス）振動子
２    帯状電極
３    （信号入出力用）リード線
４    節点線
５    支持具
６    （支持具の）貫通孔
７    ホルダー
８，１４    金属端子棒
９    接着剤
１０    ケース
１１    回路基板
１２    ダンパー
１３    フレキシブル基板
１７ａ    支持枠部
１７ｂ    外枠部
１８    （外枠部の）貫通孔
【図１】
0003657073.tif 000002
【図２】
0003657073.tif 000003
【図３】
0003657073.tif 000004
【図４】
0003657073.tif 000005
【図５】
0003657073.tif 000006
【図６】
0003657073.tif 000007